(57)【要約】【課題】本発明は、従来の発明の改良であって、蓋体の斜め閉まりを防止するとともに、素早く開閉操作を行うことのできるフィルタユニットの提供。【解決手段】フィルタ容器１０は、容器本体２０と容器本体２０の円筒状口部２３に着脱可能に取り付けられる蓋体３０とを備え、蓋体３０の外周壁３２は、雌ねじ部６１，６２の配置された領域において径方向の外側へ突出してクリアランス３９を形成する部分を有する。雄ねじ部５１，５２の上側縁５１ａ，５２ａが、円筒状口部２３の開口端部２０ａにまで延びており、開口端部２０ａには、他の部分に比べて幅寸法の大きな拡幅部分８１，８２が形成されている。【選択図】図１
2019130521.tif 000002
【特許請求の範囲】
【請求項１】
周方向及び上下方向を有し、容器本体と蓋体と前記容器本体に収容されるフィルタとを備え、前記容器本体の円筒状口部に前記蓋体の外周壁が係止されるフィルタユニットにおいて、
前記容器本体の前記円筒状口部の外周面には、前記蓋体の前記外周壁の内周面に位置する雌ねじ部と係合可能な雄ねじ部が形成されており、
前記雌ねじ部は、前記周方向へかつ下方へ傾斜して延びており、
前記外周壁は、前記雌ねじ部の配置された領域において径方向の外側へ突出してクリアランスを形成する部分を有し、
前記雄ねじ部の上側縁が、前記円筒状口部の開口端部にまで延びており、
前記開口端部には、他の部分に比べて幅寸法の大きな拡幅部分が形成されていることを特徴とする前記フィルタユニット。
【請求項２】
前記雄ねじ部は、前記上下方向へ延びる下端縁と、前記周方向へ傾斜して延び、かつ、前記雌ねじ部と当接される下側縁とを有し、
前記雄ねじ部の前記下端縁と前記下側縁とによって画成された隅部が、断面視において下方へ向かって次第に先細となる形状を有する請求項１に記載のフィルタユニット。
【請求項３】
前後方向を有し、面体と、前記面体の前方側に位置するフィルタ取り付け部と前記フィルタ取り付け部に着脱可能に取り付けられるフィルタとからなるフィルタユニットを備えたマスクにおいて、
前記フィルタ取り付け部の円筒状口部の内面には、前記フィルタの後方部分の外面に位置する雄ねじ部と係合可能な雌ねじ部が形成されており、
前記雌ねじ部は、周方向へかつ前方へ傾斜して延びており、
前記円筒状口部は、前記雌ねじ部の配置された領域において径方向の外側へ突出してクリアランスを形成する部分を有することを特徴とする前記マスク。
【発明の詳細な説明】
【技術分野】
【０００１】
本発明は、フィルタユニット、フィルタユニットを備えたマスクに関する。
【背景技術】
【０００２】
従来、フィルタユニット（フィルタ容器）は公知である。例えば、特許文献１には、容器本体と蓋体とを備えたフィルタ容器が開示されている。
【先行技術文献】
【特許文献】
【０００３】
【特許文献１】特開平６−１９０２１７号公報
【０００４】
特許文献１に開示のフィルタ容器によれば、容器本体の円筒状口部の外周面に形成された雄ねじ部と、蓋体の外周壁の内周面に位置する雌ねじ部とが螺合され、かつ、施錠機構によって容器本体と蓋体とが安定的に連結されることによって、気密状態の容器内にフィルタを収容することができる。また、容器本体への蓋体の取り付けや取り外しが容易であることから、簡単にフィルタを交換することができる。
【０００５】
しかしながら、かかるフィルタ容器においては、蓋体を回して容器本体に対して斜めに取り付けられたときでも螺合することができる。したがって、かかる状態のままフィルタ容器を使用した場合には、蓋体と容器本体との間に隙間が生じて内部を気密にすることができず、十分にフィルタ機能を発揮させることができない。また、蓋体が容器本体に正しく取り付けられた場合であっても、蓋体を何度も回転させる必要があり手間である。
【発明の概要】
【発明が解決しようとする課題】
【０００６】
本発明は、従来の発明の改良であって、蓋体の斜め閉まりを防止するとともに、素早く開閉操作を行うことのできるフィルタ容器の提供に関する。
【課題を解決するための手段】
【０００７】
本願の第１発明は、周方向及び上下方向を有し、容器本体と蓋体と前記容器本体に収容されるフィルタとを備え、前記容器本体の円筒状口部に前記蓋体の外周壁が係止されるフィルタユニットに関する。
【０００８】
本願の第１発明に係るフィルタユニットは、前記容器本体の前記円筒状口部の外周面には、前記蓋体の前記外周壁の内周面に位置する雌ねじ部と係合可能な雄ねじ部が形成されており、前記雌ねじ部は、前記周方向へかつ下方へ傾斜して延びており、前記外周壁は、前記雌ねじ部の配置された領域において径方向の外側へ突出してクリアランスを形成する部分を有し、前記雄ねじ部の上側縁が、前記円筒状口部の開口端部にまで延びており、前記開口端部には、他の部分に比べて幅寸法の大きな拡幅部分が形成されていることを特徴とする。
【０００９】
第１発明に係るフィルタユニットにおける他の実施態様の一つとして、前記雄ねじ部は、前記上下方向へ延びる下端縁と、前記周方向へ傾斜して延び、かつ、前記雌ねじ部と当接される下側縁とを有し、前記雄ねじ部の前記下端縁と前記下側縁とによって画成された隅部が、断面視において下方へ向かって次第に先細となる形状である。
【００１０】
本願の第２発明は、前後方向を有し、面体と、前記面体の前方側に位置するフィルタ取り付け部と前記フィルタ取り付け部に着脱可能に取り付けられるフィルタとからなるフィルタユニットを備えたマスクに関する。
【００１１】
第２発明に係るフィルタユニットを備えたマスクは、前記フィルタ取り付け部の円筒状口部の内面には、前記フィルタの後方部分の外面に位置する雄ねじ部と係合可能な雌ねじ部が形成されており、前記雌ねじ部は、周方向へかつ前方へ傾斜して延びており、前記円筒状口部は、前記雌ねじ部の配置された領域において径方向の外側へ突出してクリアランスを形成する部分を有することを特徴とする。
【発明の効果】
【００１２】
本発明に係るフィルタユニットは、外周壁の雌ねじ部の配置された領域において径方向の外側へ突出してクリアランスを形成する部分を有していることから、蓋体が容器本体の円筒状口部に斜めに取り付けられるのを抑制することができる。また、雄ねじ部の上側縁が、円筒状口部の開口端部にまで延びており、開口端部には、他の部分に比べて幅寸法の大きな拡幅部分が形成されていることから、蓋体が容器本体の円筒状口部に斜めに被せられている状態において、ロック機構のうちの一方の係合部が係合されている場合であっても、他方の係合部の係合を阻止して、操作者に蓋体が斜めに被せられていることを認識させることができる。
【図面の簡単な説明】
【００１３】
図面は、本発明の特定の実施の形態を示し、発明の不可欠な構成ばかりでなく、選択的及び好ましい実施の形態を含む。
【００１４】
【図１】本発明に係るフィルタユニット（フィルタ容器）の斜視図。
【図２】図１のＩＩ−ＩＩ線に沿う断面図。
【図３】（ａ）容器本体の斜視図。（ｂ）容器本体の斜視図。
【図４】（ａ）蓋体を下方から視た斜視図。（ｂ）蓋体を下方から視た斜視図。
【図５】（ａ）正常なロック時におけるロック機構の第１係合部の様子を示す図。（ｂ）正常にロックされたときの第１係合部の様子を示す図。
【図６】（ａ）蓋体が斜め閉めされてロックされた時のロック機構の第１係合部の様子を示す図。（ｂ）図６（ａ）の状態からさらに蓋体を回転したときの様子を示す図。（ｃ）図６（ｂ）のＶＩ（ｃ）−ＶＩ（ｃ）線に沿う断面図。
【図７】本発明に係るフィルタユニットの実施例の一例における、フィルタユニットを備えたマスクの斜視図。
【図８】図７に示した、フィルタユニットを分解した状態における、マスクの斜視図。
【図９】（ａ）従来のフィルタ容器の蓋体と容器本体とが分離された状態を示す図。（ｂ）従来のフィルタ容器において蓋体が斜め閉めされた様子を示す図。
【発明を実施するための形態】
【００１５】
下記の実施の形態は、図１〜図８に示すフィルタ容器（フィルタユニット）１０に関し、発明の不可欠な構成ばかりでなく、選択的及び好ましい構成を含む。
【００１６】
＜第１発明＞
図１及び図２を参照すると、フィルタ容器１０は、周方向Ｒと上下方向（縦方向）Ｙとを有し、容器本体２０と、容器本体２０に着脱可能な蓋体３０と、容器本体２０に収容されるパッド状のフィルタ４０とを備える。なお、フィルタ容器１０の上下方向Ｙは説明の便宜上のものであって、使用するときには、フィルタ容器１０の下方側を上方に向けた状態で使用してもよい。
【００１７】
フィルタ容器１０は、ツイストロック式のロック機構を有し、蓋体３０を容器本体２０の円筒状口部２３を外側から被着して、円筒状口部２３の外面に位置する複数の雄ねじ部５１，５２と蓋体３０の外周壁３２の内面に位置する複数の雌ねじ部６１，６２とを螺合することによって、蓋体３０を容器本体２０に着脱可能に取り付けることができる。フィルタ容器１０のロック機構は、雄ねじ部５１と雌ねじ部６１とからなる第１係合部１１と、雄ねじ部５２と雌ねじ部６２とからなる第２係合部１２とを有する。フィルタ容器１０は、ガス（塩素ガス）を吸収、ろ過して排出する機能を有するものであって、内視鏡洗滌装置や防護マスクのガス吸収缶として使用することができる。
【００１８】
図２，図３（ａ），（ｂ）を参照すると、容器本体２０は、有底の円筒状であって、開口端部（円筒状口部２３の開口端部）２０ａと、底面２１と、胴部２２と、胴部２２の上方部分に連なる円筒状口部２３と、円筒状口部２３の下方に位置する環状フランジ部２４とを有する。円筒状口部２３の下端部分２３ａは、胴部２２から径方向に僅かに延出したフランジ状を有し、円筒状口部２３と環状フランジ部２４との間には、それらと同心状に延びる溝２５が形成されている。円筒状口部２３の外面には、開口端部２０ａから環状フランジ部２４まで斜めに突出して延びる複数の雄ねじ部（第１係合要素）５１，５２が形成されている。
【００１９】
容器本体２０の雄ねじ部５１，５２は、径方向において互いに対向して位置し、上側縁５１ａ，５２ａと、下側縁５１ｂ，５２ｂと、上端縁５１ｃ，５２ｃと下端縁５１ｄ，５２ｄとを有する。雄ねじ部５１，５２は、外面視において周方向へ先細状になる形状を有し、上側縁５１ａ，５２ａは、開口端部２０ａまで延びており、下側縁５１ｂ,５２ｂは円筒状口部２３の下端部分２３ａまで延びている。雄ねじ部５１，５２は、雌ねじ部６１，６２と係合可能な部分であるから、下端縁５１ｄ，５２ｄは、下側縁５１ｂ，５２ｂが下り勾配に延びて下端部分２３ａに到達する手前に位置する。
【００２０】
容器本体２０の胴部２２には、容器本体２０の内部に連通する、円筒状の吸気管２７と、吸気管の上方に位置する円筒状の排出管２８とが外方に延出している。
【００２１】
図４（ａ），（ｂ）を参照すると、蓋体３０は、円形平板状の天面壁３１と、天面壁３１の外周縁から下方へ起立する外周壁３２と、蓋閉状態において容器本体２０の環状フランジ部２４に当接される環状フランジ状の下端部３３と、天面壁３１の内面側から起立してその周縁に沿って延びる環状突起３４とを有する。外周壁３２の内面には、天面壁３１側から下端部３３側へ斜めに突出して延びる一対の雌ねじ部（第２係合要素）６１，６２が配置される。外周壁３２は、一対の雌ねじ部６１，６２の配置された部分において径方向の外側へ突出した突出部分３２ａを有しており、雌ねじ部６１，６２の下端部３３側には、クリアランス３９が形成されている。天面壁３１の内面には、中央突起３５と、中央突起３５の周辺において周方向へ等間隔に配置された複数の凸条部３６とが配置されている。
【００２２】
蓋体３０の雌ねじ部６１，６２は、断面矩形状であって、径方向に互いに対向して位置し、それそれ、第１端部６３と、第１端部６３の下方に位置してＣ面取りされてテーパー状を有する第２端部６４とを有する。
【００２３】
図２を参照すると、フィルタ４０は、いわゆる吸収缶であって、活性炭を充填したフィルタ本体（ろ過材）４１とフィルタ本体４１を被覆するカバー部材４２とを有し、フィルタ４０の上面側において、フィルタ本体４１とカバー部材４２との間にはフェルトフィルターが配置されている。また、フィルタ４０の上面側の中央部には、カバー部材４２の中央凹部４３が位置する。閉蓋状態において、蓋体３０の中央突起３５がフィルタ本体４１の中央凹部４３に嵌挿されて位置決めされ、かつ、凸条部３６によって上方から押圧されることによって、フィルタ４０はフィルタ容器１０内において安定して配置される。
【００２４】
かかる構成を有するフィルタ容器１０を使用する場合には、矢印Ｐ１の経路に従って吸気管２７からフィルタ容器１０の内部に入り込んだガス（例えば、塩素ガス）が、矢印Ｐ２の経路に沿って、容器本体２０の底面２１の内面から突出する突出部分２１ａに載置されたフィルタ４０の底面（カバー部材４２の底面）に形成された複数の開口４２ａから内部を通過し、フィルタ本体４１によって濾過される。濾過後の空気は、カバー部材４２の上面に形成された複数の開口４２ｂを通過してフィルタ４０の上側部分の周辺を環流して、矢印Ｐ３，Ｐ４の経路に沿って、下方へ向かった後に排出管２８から外部に排出される。
【００２５】
フィルタ４０のカバー部材４２の底面壁４４と容器本体２０の下方内壁部２９との間には、ウレタンゴム、シリコーンゴム等の軟質な弾性材料から形成されたＯ−リング７１が配置される。このように、フィルタ容器１０内にＯ−リング７１が配置されることによって、容器本体２０の底面２１とフィルタ４０との間の下方空間Ｓ１が気密状態となって、ガスがフィルタ本体４１を通過せずに上方空間Ｓ２に進入して排出管２８から排出されるのを防止することができる。
【００２６】
容器本体２０の環状フランジ部２４と蓋体３０の下端部３３との間には、ウレタンゴム、シリコーンゴム等の軟質な弾性材料から形成されたＶ−リング７２が配置される。環状フランジ部２４と下端部３３とがＶ−リング７２を介して密接されることによって、経路Ｐ４から濾過後の空気を吸引するときの第１及び第２係合部１１，１２からの漏れ込みや経路Ｐ１から塩素ガスが加圧されたときの漏れ出しを防ぐことができる。
【００２７】
図５（ａ），（ｂ）は、正常なロック時におけるロック機構の第１係合部１１の様子を示す図、図５（ｂ）は、正常にロックされたときの第１係合部１１の様子を示す拡大図である。フィルタ容器１０の正常ロック時とは、蓋体３０の下端部３３が容器本体２０の環状フランジ部２４に上下に並行した状態で、蓋体３０を円筒状口部２３に被せて回転操作して第１及び第２係合部１１，１２において係合させた状態を意味する。正常にロックされたときには、容器本体２０と蓋体３０との間に内部の空気が漏出するような隙間が形成されることはない。なお、以降において、ロック機構のうちの第１係合部１１に関して主として説明し、同様の構成を有する第２係合部１２の説明は省略する。
【００２８】
蓋体３０の下端部３３と容器本体２０の環状フランジ部２４とを上下に並行にした状態で蓋体３０を回転させることによって、雌ねじ部６１が下り勾配に延びる雄ねじ部５１に摺接しながら下方へ移動する。それによって蓋体３０が下降し、天面壁３１が円筒状口部２３に接近して、その内面側に位置する環状突起３４が容器本体２０の開口端部２０ａに当接することによって下降が停止される。蓋体３０の下降が停止された状態において、雄ねじ部５１と雌ねじ部６１とは安定して螺合される。かかる正常なロック時において、雌ねじ部６１の第２端部６４は仮想線Ｋ１上に到達している。
【００２９】
フィルタ容器１０は、蓋体３０を閉蓋方向へ半回転することによって、ロック機構の第１及び第２係合部１１，１２の係合がなされることから、１回転以上の回転操作が必要な従来のフィルタ容器に比べて素早く閉蓋操作を行うことができる。図示していないが、操作者に、蓋体３０の閉蓋方向と開蓋方向とを識別させるために、「ＯＰＥＮ」「ＬＯＣＫ」等の文字と矢印の図形とを組み合わせた識別要素を蓋体３０の外周面に配置してもよい。また、蓋体３０の外面と円筒状口部２３の外面とに、閉蓋操作時に蓋体３０を円筒状口部２３に対して正しく位置合せするための識別要素を配置してもよい。
【００３０】
図９（ａ）は、容器本体３２０と蓋体３３０とを備えた、容器本体３２０と蓋体３３０とが分離された状態における従来のフィルタ容器（フィルタユニット）３００の一部拡大斜視図である。フィルタ容器３００は、ツイストロック式のロック機構を有し、ユニット本体３２０の円筒状口部１２３の外面には周方向へ突起状に延びる複数の雄ねじ部３５１，３５２が位置する。蓋体３３０の外周壁３３２の内面には、周方向へ突起状に延びる複数の雌ねじ部３６１，３６２が位置し、蓋体３３０を円筒状口部３２３に被着して雄ねじ部３５１，３５２と雌ねじ部３６１，３６２とを螺合することによって、蓋体３３０を容器本体３２０に着脱可能に取り付けることができる。フィルタ容器３００のロック機構は、雄ねじ部３５１と雌ねじ部３６１とが互いに係合してなる第１係合部３１１、雄ねじ部３５２と雌ねじ部３６２とが互いに係合してなる第２係合部３１２とを有する。
【００３１】
図９（ｂ）は、従来のフィルタ容器３００の蓋体３３０が容器本体３２０に対して斜め閉めされた状態を示す図である。かかる状態においては、ロック機構の第１係合部３１１において、雌ねじ部３６１が雄ねじ部３５１上に乗り上げてしまっている一方、第２係合部３１２においては、雄ねじ部３５２と雌ねじ部３６２とが互いに当接して係合可能な状態にある。
【００３２】
かかる状態において、操作者が、蓋体３３０を回転させることによって、第１係合部３１１では非係合であるにも拘らず、第２係合部３１２では係合がなされることになるので、操作者は蓋体３３０が正しく取り付けられたと勘違いしてしまう。かかる半開きの状態で、フィルタ容器３００を使用した場合には、蓋体３３０と容器本体３２０との隙間からガスや濾過後の空気が漏れ出てしまうおそれがある。
【００３３】
本発明に係るフィルタ容器１０においては、外周壁３２が蓋体３０の雌ねじ部６１，６２の配置された部分において径方向の外側へ突出しており、雌ねじ部６１，６２と下端部３３との間にはクリアランス３９が形成されている。したがって、蓋体３０が容器本体２０に対して僅かに斜めに被せられて、斜めになった状態で第２係合部１２が先に係合されたとしても、蓋体３０のクリアランス３９によって雌ねじ部６１が雄ねじ部５１上に乗り上がることはない。したがって、第１係合部１１においても雌ねじ部６１を雄ねじ部５１の下側に配置させ、下側縁５１ｂと当接して正常に係合可能な状態にすることができる。
【００３４】
また、図３（ａ）（ｂ）を参照すると、容器本体２０の雄ねじ部５１，５２の上側縁５１ａ，５１ａは、容器本体２０の開口端部２０ａまで延びており、開口端部２０ａには、他の部分に比べて幅寸法（径方向の寸法）が大きい拡幅部分８１，８２が形成されている。したがって、例えば、蓋体３０が容器本体２０に比較的に大きく傾いた状態で被せられ、かつ、第２係合部１２において係合されている場合であっても、第１係合部１１側において雌ねじ部が拡幅部分８１の上面に当接してさらに傾いた状態となるので、操作者は、蓋体３０が正しく被せられてないことを認識することができる。
【００３５】
図６（ａ），（ｂ）を参照すると、蓋体３０が斜めに被せられたときには、雌ねじ部６１が雄ねじ部５１と並行するように斜めに延びておらず、雄ねじ部５１の下側縁５１ｂの一部に摺接しながら下方へ移動して第２端部６４が仮想線Ｋ１に到達した時点において、蓋体３０の環状突起３４が円筒状口部２３から離間して当接されてないことから移動が停止されず、さらに下方へ移動して雄ねじ部５１の隅部８０に摺接される。
【００３６】
雄ねじ部５１の隅部８０は、雄ねじ部５１の下端縁５１ｄと下側縁５１ｂとによって画成された領域であって、蓋体３０が円筒状口部２３に正しく被せられたときには、雌ねじ部６１の第２端部６４が到達しない領域である。図６（ｃ）を参照すると、隅部８０は、雄ねじ部５１の他の部分に比べて肉薄であって、断面視において下方へ向かって次第に先細となる形状（テーパー状）を有する。したがって、蓋体３０を回転操作して雌ねじ部６１の第２端部６４が隅部８０に摺接したときには、雌ねじ部６１が比較的に肉薄の隅部８０の下端側から乗り上がって、下端側から次第に肉厚となる隅部８０の上端側へ向かうにつれて径方向の外側へ移動し、雄ねじ部５１の下側縁５１ｂに沿う溝から外れてしまって、蓋体３０が空回りした様態となるので、操作者に蓋体３０が斜めに被せられて正しく被着されてないことを認識させることができる。
【００３７】
以上のとおり、フィルタ容器１０は、蓋体３０が斜め閉めされた状態で使用されることを防止するための複数の構成を有ることから、操作者は、蓋体３０を容器本体２０に正しく被せた状態で回転操作を行うことができる。それによって、ロック機構による正常なロックが行われて、フィルタ容器１０の内部が気密に維持された状態でガスの吸収、濾過機能を十分に発揮することができる。
【００３８】
本明細書においては、容器本体２０と蓋体３０とのロック機構として、２つの雄ねじ部５１，５２と２つの雌ねじ部６１，６２との第１及び第２係合部１１，１２によるものを用いて説明したが、雄ねじ部と雌ねじ部とをそれぞれ３つずつ配置して第１〜第３係合部からなるものであってもよいし、雄ねじ部と雌ねじ部とをそれぞれ４つずつ配置して第１〜第４係合部からなるものであってもよい。また、濾過物質をガス、フィルタを吸収缶の態様で説明したが、例えば、濾過物質が粉塵である場合には、不織布、織布等がケースに充填された濾過材であってもよい。
【００３９】
＜第２発明＞
図７は、本発明に係るフィルタユニットの実施例の一例における、フィルタユニット１００を備えたマスク２００の斜視図、図８に示したフィルタユニット１００を分解した状態における、マスク２００の斜視図である。マスク２００は、防塵用又は防毒用として使用されるものであって、前方と、後方とを有する。なお、マスク２００の前方と後方は、それぞれ、図１〜図６に示したフィルタ１０の下方と上方とに対応する。
【００４０】
本実施例において、フィルタユニット１００は、マスク２００の前方側に位置している。マスク２００は、マスク着用者の口許と鼻孔の周辺とを覆うことのできる面体２１０と、面体２１０をマスク着用者の顔面に密着させるための長さ調整可能なヘッドバンド２３０とを備える。
【００４１】
フィルタユニット１００は、マスク２００の面体２１０の前方側に位置するフィルタ取り付け部（ホルダー）１２０と、フィルタ取り付け部１２０に着脱可能に取り付けられるフィルタ（吸収缶）１３０とを有する。フィルタ取り付け部１２０は、円筒状口部１２１と、円筒状口部１２１に囲まれた、中央に吸気孔１２２が位置する底部１２３とを有する。底部１２３の外周に位置する環状の溝には、ウレタンゴム、シリコーンゴム等の軟質な弾性材料から形成されたＯ−リング１７２が配置されている。図示していないが、吸気孔１２２の内側にはマスク着用者の吸気動作によって吸気孔を開くことが可能な吸気用逆止弁が位置し、フィルタ１３０を通過した吸気は、逆止弁を開きながら吸気孔１２２を通って面体２１０の内側へ入り、着用者の口許や鼻孔に達する。面体２１０の下方には、呼気を排出するための複数の排気孔１２８が位置する。
【００４２】
フィルタ１３０は、活性炭を充填したもの、シートをラウンドプリーツ状に一体成形したもの、又は、繊維状の濾過材を詰め込んで形成されたもの等からなるフィルタ本体１３１とフィルタ本体１３１を被覆するカバー部材１３２とを有する。フィルタ１３０（又は、カバー部材１３２）は、複数の開口を有する前面１３０ａと、環状フランジ部１３４と、環状フランジ部１３４の後方側に位置する後方部分１３５の外周面に位置する複数の雄ねじ部１５１，１５２とを有する。
【００４３】
フィルタユニット１００は、図１〜図６に示したフィルタユニット１０と同様のツイストロック式のロック機構を有し、フィルタ取り付け部１２０の円筒状口部１２１の内面に位置する複数の雌ねじ部１６１，１６２と、フィルタ１３０の後方部分１３５の外周面に位置する複数の雄ねじ部１５１，１５２とを互いに螺合することによって、フィルタ１３０をフィルタ取り付け部１２０に着脱可能に取り付けることができる。フィルタユニット１００のロック機構は、雄ねじ部１５１と雌ねじ部１６１とからなる第１係合部１１１と、雄ねじ部１５２と雌ねじ部１６２とからなる第２係合部１１２と有する。第１及び第２係合部１１１，１１２を構成する各要素の構成態様は、特に説明をする場合を除き、図１〜図６で示した、フィルタ１０の第１及び第２係合部１１，１２を構成する各要素の構成態様と同じである。
【００４４】
具体的には、例えば、雄ねじ部１５１，１５２は、周方向へかつ前方へ傾斜して延びており、円筒状口部１２１は、雌ねじ部１６１，１６２の配置される領域において径方向の外側へ突出してクリアランス１３９を形成する部分を有する。また、雄ねじ部１５１，１５２は、後端縁と後側縁とによって画成された隅部１８０が、断面視において前方へ向かって次第に先細となる形状を有する。
【００４５】
かかる構成を有するフィルタユニット１００において、フィルタ１３０の後方部分１３５をフィルタ取り付け部１２０の円筒状口部１２１内に挿入した状態で、フィルタ１３０を閉蓋方向へ半回転することによって、ロック機構の第１及び第２係合部１１１，１１２の係合がなされることから、１回転以上の回転操作が必要な場合に比べて素早く開閉操作を行うことができる。また、完全に閉蓋された状態においてフィルタ１３０の環状フランジ部１３４が円筒状口部１２１の前端に当接され、かつ、後方部分と底部１２３とがＯ−リング１７２を介して密接されることによって、濾過後の空気が外部に漏れ出るのを防止することができる。
【００４６】
本実施例においては、フィルタ１３０の後方部分１３５の外周面に雄ねじ部１５１，１５２が位置し、フィルタ取り付け部１２０の円筒状口部１２１の内面に雌ねじ部１６１，１６２が配置されているが、第１及び第２係合部１１１，１１２においてそれらが適正に嵌合される限りにおいて、フィルタ１３０の外面に雌ねじ部１６１，１６２が位置し、円筒状口部１２１の内面に雄ねじ部１５１，１５２が位置していてもよい。
【符号の説明】
【００４７】
１０  フィルタユニット（フィルタ容器）
２０  容器本体
２０ａ  開口端部
２３  円筒状口部
３０  蓋体
３２  外周壁
３９  クリアランス
４０  フィルタ
５１  雄ねじ部
５１ｂ  下側縁
５１ｄ  下端縁
５２  雄ねじ部
５２ｂ  下側縁
５２ｄ  下端縁
６１  雌ねじ部
６２  雌ねじ部
８０  隅部
８１，８２  拡幅部分
１００  フィルタユニット
１２０  フィルタ取り付け部
１３０  フィルタ
１３５  フィルタの後方部分
１３９  クリアランス
１５１  雄ねじ部
１５２  雄ねじ部
１６１  雌ねじ部
１６２  雌ねじ部
Ｙ  上下方向
Ｒ  周方向
【図１】
2019130521.tif 000003
【図２】
2019130521.tif 000004
【図３】
2019130521.tif 000005
【図４】
2019130521.tif 000006
【図５】
2019130521.tif 000007
【図６】
2019130521.tif 000008
【図７】
2019130521.tif 000009
【図８】
2019130521.tif 000010
【図９】
2019130521.tif 000011